(57)【要約】【課題】  基準電圧発生回路５１７と，この基準電圧に基づき信号を処理するＡＤコンバーター５１５を備えた映像信号処理回路５００において，基準電圧発生回路５１７の出力電圧に含まれるノイズ成分を除去し，信号処理による画質劣化を抑える映像信号処理回路を提供することを課題とする。【解決手段】  基準電圧発生回路５１７の出力端子５１８，５１９とＡＤコンバーター５１５の基準電圧入力端子５０８，５１３をそれぞれ接続する接続線５０７，５１１に対して，ＡＤコンバーター５１５の基準電圧入力端子５０８，５１３の近傍に，アースと並列にコンデンサ５０９，５１２を設け，該コンデンサ５０９，５１２のキャパシタンスと該接続線５０７，５１１のインダクタンスによるローパスフィルターをそれぞれ形成しその遮断周波数を，ＡＤコンバーター５１５で扱う搬送色信号帯域の下限周波数より低くする。【選択図】  図１
2005142865.tif 000002
【特許請求の範囲】
【請求項１】
基準電圧発生回路と，この基準電圧に基づき信号を処理するＡＤコンバーターを備えた映像信号処理回路において，基準電圧発生回路の出力端子とＡＤコンバーターの基準電圧入力端子を接続する接続線に対して，ＡＤコンバーターの基準電圧入力端子の近傍に，アースと並列にコンデンサを設け，該コンデンサのキャパシタンスと該接続線のインダクタンスで形成されるローパスフィルターの遮断周波数がＡＤコンバーターで扱う搬送色信号帯域の下限周波数より低いことを特徴とした映像信号処理回路。
【請求項２】
チューナー回路と直交検波回路と信号処理集積回路とＤＡコンバーターを備え，直交検波回路と信号処理集積回路の間に請求項１の映像信号処理回路を設けたことを特徴とするテレビ信号の妨害波除去装置。
【発明の詳細な説明】
【技術分野】
【０００１】
本発明は，主にテレビ信号の映像信号処理回路に関し，詳しくはＡＤコンバーターに入力される基準電圧のノイズを除去する回路に関する。
【背景技術】
【０００２】
従来の映像信号処理回路は，ＡＤコンバーターの基準電圧入力端子に直接基準電圧が接続されていたため，基準電圧のノイズ成分を除去する構成とはなっていなかった。（例えば，特許文献１参照）
【０００３】
【特許文献１】特開平６−２７６４０８号公報
【発明の開示】
【発明が解決しようとする課題】
【０００４】
従来の映像信号処理回路によると，ＡＤコンバーターの基準電圧入力端子に直接基準電圧が接続されており，基準電圧のノイズ成分を除去できる構成とはなっていなかったため，基準電圧にノイズ成分が存在すると処理後の信号によるテレビ画像に色むらが生じるといった問題が有った。
そこで本願においては，こうした問題点を解決するためになされたものであり，その目的は，基準電圧発生回路と，この基準電圧に基づき信号を処理するＡＤコンバーターを備えた映像信号処理回路において，基準電圧発生回路の出力電圧に含まれるノイズ成分を除去し，信号処理による色むら等の画質劣化を抑制する映像信号処理回路を提供することを課題とする。
他の目的は，前記映像信号処理回路を備え，テレビ信号のビートやゴーストなどの妨害波を除去する妨害波除去装置を提供することを課題とする。
【課題を解決するための手段】
【０００５】
上記課題を解決するために，請求項1の発明は基準電圧発生回路，ＡＤコンバーター，基準電圧発生回路の出力端子とＡＤコンバーターの基準電圧入力端子を接続する接続線，及びＡＤコンバーターの基準電圧入力端子の近傍にアースと並列に接続したコンデンサで構成される。
請求項２の発明は，前記映像信号処理回路，チューナー回路，直交検波回路，信号処理集積回路等で構成される。
【発明の効果】
【０００６】
以上詳述したように，請求項１及び請求項２の発明によれば，基準電圧発生回路と，この基準電圧に基づき信号を処理するＡＤコンバーターを備えた映像信号処理回路において，基準電圧発生回路の出力電圧に含まれるノイズ成分を除去するので，処理された信号によるテレビ画面に色むらなどの画質劣化を抑制する映像信号処理回路及び妨害波除去装置を提供することができる。
【発明を実施するための最良の形態】
【０００７】
以下に，本発明を具体化した実施形態の例を，図面を基に詳細に説明する。図１は本発明に係る映像信号処理回路の一例を示し，図２は本発明に係る映像信号処理回路をテレビ信号の妨害波除去装置の一つであるビート除去装置に利用した例を示している。
【実施例１】
【０００８】
図１を用いて請求項１の発明に係る映像信号処理回路を説明する。本発明に係る映像信号処理回路５００は，基準電圧発生回路５１７，接続線５０７，５１１，コンデンサ５０９，５１２，ＡＤコンバーター５１５等を備えている。基準電圧発生回路５１７では，必要な電圧を作るために基準電圧電源端子５０５の電圧を分圧する抵抗器５０２，５０３，５０４と，後段の影響を抑制するための演算増幅器５０６，５１０によるボルテージホロワを備えている。接続線５０７，５１１はプリント基板による幅約０.２ミリ，長さ約５０ミリのストリップラインで構成される。コンデンサ５０９，５１２は約１００μＦの電解コンデンサを使用している。
基準電圧発生回路５１７で作られた２つの基準電圧は接続線５０７，５１１によりＡＤコンバーター５１５へ供給される。ＡＤコンバーター５１５は，この電圧に基づいて，映像信号入力端子５０１に入力されたアナログ信号を１０ｂｉｔのディジタル信号に変換する。
【０００９】
ＡＤコンバーター５１５に供給する基準電圧にはノイズが無いことが望ましいが，周囲の回路から分圧抵抗器５０２，５０３，５０４や演算増幅器５０６，５１０等に結合して混入する可能性がある。映像信号処理回路５００において，ＡＤコンバーター５１５の基準電圧入力端子５１２，５１３にノイズを多く含む基準電圧が入力されると，この回路を用いた妨害波除去装置から出力される映像信号によるテレビ画面には色むらが発生するようになり，画像評価を下げてしまう。
この対策として，基準電圧に混入したノイズを除去するために，ＡＤコンバーター５１５の基準電圧入力端子５０８，５１３の近傍にアースと並列にコンデンサ５０９，５１２をそれぞれ接続し，コンデンサ５０９と接続線５０７によるローパスフィルターとコンデンサ５０９と接続線５１１によるローパスフィルターをそれぞれ構成している。ノイズは色々な経路から基準電圧に混入するため，ＡＤコンバーター５１５の基準電圧入力端子５０８，５１３の直前でノイズを除去するのが効果的である。このため，コンデンサ５０９はＡＤコンバーター５１５の基準電圧入力端子５０８の近傍に，また，コンデンサ５１２はＡＤコンバーター５１５の基準電圧入力端子５１３の近傍に，それぞれアースと並列に接続している。
【００１０】
接続線５０７とコンデンサ５０８で形成されたローパスフィルターのカットオフ周波数は，ＡＤコンバーター５０５に入力される直交検波出力の中で最もノイズの影響を受けやすい搬送色信号の周波数帯域より低い周波数に設定している。例えば，ＮＴＳＣ方式のカラー画像信号の場合には，搬送色信号の帯域の下限（約２ＭＨｚ）より低い周波数にローパスフィルターのカットオフ周波数を設定している。実施例１のローパスフィルターのカットオフ周波数は約１００ＫＨｚである。
なお，基準電圧発生回路５１７とＡＤコンバーター５１５を接続する接続線５１１とコンデンサ５１２についても同様に設定される。
【００１１】
次に図２を用いて請求項２の発明に係る妨害波除去装置４００の説明をする。図２に示す妨害波除去装置４００はテレビ信号のビート除去装置の１例である。受信アンテナ４０１から伝送された高周波信号はチューナー回路４０２で選局され，５８ＭＨｚ帯のＩＦ信号に変換されて直交検波回路４０３へ入力される。直交検波回路４０３はこのアナログ信号を復調し，すべての成分をＩ信号として映像信号処理回路５００の映像信号入力端子５０１へ入力するとともに，妨害波成分のみをＱ信号として映像信号処理回路６００へ入力する。なお，映像信号処理回路６００の内部の回路構成は映像信号処理回路５００と同じなので説明を省略する。
映像信号処理回路５００，６００は入力されたそれぞれの映像信号を１０ｂｉｔのディジタル信号に変換して，例えばＡＳＩＣで構成された信号処理集積回路４０６へ入力する。信号処理集積回路４０６の内部では，Ｉ信号とＱ信号の差を利用してＩ信号に含まれているビート成分を除去している。信号処理集積回路４０６から出力されたディジタル信号はＤＡコンバータ４０７によりアナログ信号に変換され，ビート成分が除去されたアナログ信号が映像信号出力端子４０８から出力される。
このように映像信号処理回路５００，６００の，それぞれのＡＤコンバーターに入力される基準電圧からはノイズが除去されているので，映像信号出力端子４０８から出力される映像信号によるテレビ画面には，基準電圧に含まれるノイズによる色むら等の画質劣化が抑制される。
【００１２】
必要に応じて映像信号出力端子４０８に変調器を接続すれば，高周波のテレビ信号に変換することができる。
なお，本発明は上記実施の形態に限定されるものではなく，本発明の趣旨を逸脱しない範囲で適宜に変更して実施することも可能である。実施例１では妨害波除去装置として，テレビ信号のビート除去装置の例を示したが，これに限定されることなく，テレビ信号のゴースト除去装置やＶＴＲ装置等に利用しても同様の効果が得られる。
また，実施例１で説明した接続線５０７，５１１はプリント基板によるストリップラインについて述べたが，これに限らず，リード線やコイルを用いても良い。また，コンデンサ５０９，５１２は一つのコンデンサを使用してもよいし，電解コンデンサとセラミックコンデンサのように異なる種類及び容量のコンデンサを並列に組み合わせて使用しても良い。
なおコンデンサ５０９，５１２の種類，容量，及び接続線５０７，５１１の幅及び長さは，信号処理集積回路４０６で扱う信号の周波数に応じて適宜決定される。
【図面の簡単な説明】
【００１３】
【図１】本発明に係る映像信号処理回路の実施形態の１例を示す。
【図２】本発明に係る映像信号処理回路を，テレビ信号のビート除去装置に使用した１例を示す。
【符号の説明】
【００１４】
４００…妨害波除去装置，４０１…受信アンテナ，４０２…チューナー回路，４０３…直交検波回路，４０６…信号処理集積回路，４０７…ＤＡコンバーター，４０８…映像信号出力端子，５００…映像信号処理回路，５０１…映像信号入力端子，５０２…抵抗器，５０３…抵抗器，５０４…抵抗器，５０５…基準電圧電源端子，５０６…演算増幅器，５０７…接続線，５０８…基準電圧入力端子，５０９…コンデンサ，５１０…演算増幅器，５１１…接続線，５１２…コンデンサ，５１３…基準電圧入力端子，５１４…ＡＤコンバーター電源端子，５１５…ＡＤコンバーター，５１６…ＡＤコンバーター出力端子，５１７…基準電圧発生回路，５１８…基準電圧出力端子，５１９…基準電圧出力端子，６００…ＡＤコンバーター。
【図１】
2005142865.tif 000003
【図２】
2005142865.tif 000004